(57)【要約】【課題】  ティッシュボックスの取出し口に乗せ置くだけで確実に１枚ずつ最後の１枚までスムーズに引き出せるボックス型ティッシュペーパー装着具を提供する。【解決手段】  略筒体において壁面に２つの指差し込みスリット孔があり、その中間にマチスリット孔があり、下端縁に残量ティッシュ押さえ片があることを特徴とするボックス型ティッシュ取出し口装着具。【選択図】図１
2020093832.tif 000002
【特許請求の範囲】
【請求項１】
なだらかな裾広がり形状の略筒体であって、ティッシュボックスの細長楕円状のティッシュ取出し口に、裾側から差込んで、ティッシュボックス内に残っているティッシュの最上面に立て置いた形で使用されるのであるが、略筒体の胴部において、裾端縁の、筒径中心を挟む対向的２箇所において、手指厚みが楽に入る程の幅で、上端からちょっと下方位置までの高さで、アーチ状に切欠かれた様に指差込スリット孔が設けてあり、
この２つの指差込スリット孔の中間位置の両サイド対向的２箇所において裾端縁数ミリ幅から上方へ徐々に細まって、胴部高さ中間よりも下方のそこそこの高さ位置で鋭い尖端に達する細長三角状に切欠かれ様なマチスリット孔が設けてあり、
指差込スリット孔とマチスリット孔を除いて直接接地する裾端縁において、外側へ水平に数ミリ幅ツバ状に出っ張る形で、残量ティッシュ押さえ片が設けてあり、
上端開口部域は、ギュッとすぼまって、親指腹と人指し指腹を合わせて上から押し込んだ時に、人指し指第一関節まで入れば足りる程の径でティッシュ引出し口を成し、
ティッシュボックス内のティッシュ残量が少なくなって来た時に、筒体全体がティッシュボックスの中に倒れ落ちてしまわぬ様に、ティッシュ引出し口の開口縁から外側へ庇状に出っ張る形で、倒落ストッパーが設けてある、
ということを特徴とするボックス型ティッシュペーパー取出し口装着具。
【発明の詳細な説明】
【発明の分野】
【０００１】  本発明は、既存のティッシュボックス自体には何の変更も加えず、ティッシュ取出し口にただ乗せ置く様に装着するだけでティッシュペーパーが最後の１枚までにスムーズに且つきれいな形を保存したまま引き出せる用具に関するものである。
【背景技術】
【０００２】  従来、ボックス型ティッシュペーパーの中身を一旦全部取出して、元の箱と同様のアクリル箱に中身だけをそっくり移し替え、アクリル箱の天面に重みのある蓋を落とし込み、ティッシュペーパーが連れだって引っ張りだされない様に、蓋が重しになって１枚ずつ引き出させる箱が使われている。
また、ティッシュケースの底に押し込み蓋を設けて、中身の残量が少なくなったら、指で底蓋を上へ押し込んで、中身を取出し口に近づける先行技術も知られている（特許文献１参照）。
また、ティッシュケースの中の積層されたティッシュの底に吊りゴムをもぐらせて、ぶらんこ状に持ち上げた状態を維持して上から取り出された分だけ下から持ち上げたれるという先行技術も知られている（特許文献２参照）。
【先行技術文献】
【特許文献】
【０００３】
【特許文献１】特開２００９−２２０８８２号公報
【特許文献２】実登３０１５７０４号公報
【発明の概要】
【発明が解決しようとする課題】
【０００４】  そのため次のような問題点があった
（イ）アクリル製で重くて、また落とし込み蓋が移動の際に外れ落ちる可能性がある。
（ロ）文献１の場合、ティッシュペーパーの移し替えが面倒で、ティッシュの残量に伴っ      て押し込み蓋を取出し口まで押し上げる手間がかかり、また移動の際に押し込み蓋      が外れ落ちる可能性がある。
（ハ）文献２の場合、ティッシュペーパーの移し替えや装着の際、使用可能な状態までに      何段階も手間がかかり、また繰り返し使用することにより吊りゴムが伸びてしまい      ティッシュをまとめて持ち上げる弾力性や伸縮性を失う可能性がある。
（二）既存の紙製ティッシュボックスをそのまま使用すると残量が少なくなってきた時に      ティッシュの端が取出し口に引っ掛かって引き出されず箱内に指を入れてつまみ出      す羽目になって、その際不要な枚数がまとまって外に引き出されてくることが頻繁      にある。
本発明はそれらの問題点を解決するためになされたものである。
【課題を解決するための手段】
【０００５】  なだらかな裾広がり形状の略筒体であって、ティッシュボックスの細長い楕円状のティッシュ取出し口に、裾側から差込んで、ティッシュボックス内に残っているティッシュの最上面に立て置いた形で使用される。
略筒体の胴部において、裾端縁の、筒径中心を挟む対向的２箇所において、手指厚みが楽に入る程の幅で、上端からちょっと下方位置までの高さで、アーチ状に切欠かれた様に指差込スリット孔が設けられてあり、
この２つの指差込スリット孔の中間位置の両サイド対向的２箇所において、裾端縁数ミリ幅から上方へ徐々に細まって約２０ミリそこそこの高さ位置で鋭い尖端に達する細長三角状に切欠かれた様なマチスリット孔が設けられてある。
指差込スリット孔とマチスリット孔を除いて直接接地する裾端縁において、外側へ水平に数ミリ幅ツバ状に出っ張る形で、残量ティッシュ押さえ片が設けてある。
上端開口部域はギュッとすぼまって、親指腹と人差し指腹を合わせて上から押し込んだ時に、人差し指第一関節まで入れば足りる程の径でティッシュ引き出し口を成す。
ティッシュボックス内のティッシュ残量が少なくなって来た時に、筒体全体がティッシュボックスの中に倒れ落ちてしまわぬ様に、ティッシュ引き出し口の開口縁から外側へ庇状に出っ張る形で、倒落ストッパーが設けてある。
以上を特徴とするボックス型ティッシュペーパー取出し口装着具である。
【発明の効果】
【０００６】  既存の紙製ティッシュボックス自体には何の変更も加えず、本発明をティッシュ取出し口にただ乗せ置く様に装着し使用することで、ティッシュの端が取出し口に引っ掛かって引き出せなくなることを防ぎ、更にティッシュ残量に伴い本発明が自然と下がるため、最後までティッシュ上面の押さえが効き続けて最後の１枚までスムーズに且つききれいな形を保持したまま引き出すことができて、更に上部にはストッパーを設けてあることで倒落の心配もなく使用できる。
【図面の簡単な説明】
【０００７】
【図１】  本発明の斜視図
【図２】  本発明の正面図
【図３】  図２に示される本発明を９０℃回転させた側面図
【図４】  本発明の平面図
【図５】  本発明の底面図
【図６】  本発明をボックス型ティッシュ取出し口に装着した斜視図
【発明を実施するための形態】
【０００８】  以下、本発明の実施の形態について説明する。
なだらかな裾広がり形状の略筒体であって、ティッシュボックス（Ａ）の細長楕円状のティッシュ取出し口（Ｂ）に、裾側から差込んで、ティッシュボックス（Ａ）内に残っているティッシュの最上面に立て置いた形で使用される。
略筒体の胴部（１）において裾端縁（２）の、筒径中心を挟む対向的２箇所において、手指厚みが楽に入る程の幅で、上端からちょっと下方位置までの高さで、アーチ状に切欠かれた様に指差込スリット孔（３）が設けてあり、
この２つの指差込スリット孔（３）の中間位置の両サイド対向的２箇所において、裾端縁（２）数ミリ幅から上方へ徐々に細まって約２０ミリそこそこの高さ位置で鋭い尖端に達する細長三角状に切欠かれた様なマチスリット孔（４）が設けてある。
指差込スリット孔（３）とマチスリット孔（４）を除いて直接接地する裾端縁（２）において、外側へ水平に数ミリ幅ツバ状に出っ張る形で、残量ティッシュ押さえ片（５）が設けてある。
上端開口部域はギュッとすぼまって、親指腹と人差し指腹を合わせて上から押しこんだ時に、人差し指第一関節まで入れば足りる程の径でティッシュ引出し口（６）を成す。
ティッシュボックス（Ａ）内のティッシュ残量が少なくなって来た時に、筒体全体がティッシュボックス（Ａ）の中に倒れ落ちてしまわぬ様に、ティッシュ引出し口（６）の開口縁から外側へ庇状に出っ張る形で、倒落ストッパー（７）が設けてある。
本発明は、以上の様な構成であり、以下その具体的な使用方法を説明する。
真新しく開封されたばかりの、又は使用途中のティッシュボックスの（Ａ）の、ティッシュ取出し口（Ｂ）に、本発明の裾端縁（２）側を当てがって置き、胴部（１）を手で挟む様にして押し縮めると、円弧状に外へ膨らんでいた裾端縁（２）は、押されたしわ寄せがマチスリット孔（４）によって逃がされて、略直線状になって両側から接近し、胴部（１）がひしゃげて細長状になるので、狭い細長のティッシュ取出し口（Ｂ）に添って残量ティッシュ押さえ片（５）を左右にもぐらせ、手を離すと胴部（１）は元の筒体に復帰しようとして、裾端縁（２）またはそこから上方の胴部（１）壁はティッシュ取出し口（Ｂ）の縁に押付けられて、積層されたティッシュの最上面に残量ティッシュ押さえ片（５）で踏ん張る様に立ち、安定して立ち続け、ティッシュボックス（Ａ）が揺れたり傾いたりしても、残量ティッシュ押さえ片（５）がティッシュ取出し口（Ｂ）に引っ掛って、手で外し取り出さない限り独りでに外れ倒れることはない。
この様にして簡単に載置セットしたら、指指込スリット孔（３）から指を入れて最上面のティッシュを摘まみ、そのまま指差込スリット孔（３）の中を上昇し、ティッシュ引出し口（６）の外にちょっとだけティッシュの頭を覗かせたところで手を抜き出す。これでセット完了。最初の１枚を引出すと、次の１枚が自ずと引きずられて頭を覗かせ、次の引出し使用を待機する。
次々と使用されて、ティッシュボックス（Ａ）の中のティッシュ残量が少なくなっていく過程において、裾広がりの胴部（１）下端から外側へ伸びた残量ティッシュ押さえ片（５）によって周辺が上から押さえられつつ、積層された最上面から順に引っ張り上げられる時、両側が指差スリット孔（３）に嵌まり込みつつ適度な摩擦を受けて、束になって通過することが阻止され、最後の１枚まで確実に１枚ずつがティッシュ引出し口（６）へ誘導される。ティッシュ残量がいよいよ終わりに近づくと、本発明はティッシュボックス（Ａ）の中に沈み込みそうになるが、ティッシュ引出し口（６）の縁から外側へ伸びた倒落ストッパー（７）があるので、ティッシュボックス（Ａ）のティッシュ取出し口（Ｂ）の中に独りでに沈み込むことはなく、最後の１枚まできちんとティッシュ引出し口（６）へ誘導することが出来る。
なお、倒落ストッパー（７）は、略筒体全体がティッシュボックス（Ａ）の中に沈み込むことを防ぐことが出来る庇状の形になるが、その具体的な形状については、様々なデザイン的考慮が為され得る。
【符号の説明】
【０００９】１  胴部、  ２  裾端縁、  ３  指差込スリット孔、  ４  マチスリット孔、
５  残量ティッシュ押さえ片、  ６  ティッシュ引出し口、
７  倒落ストッパー、
Ａ  ティッシュボックス、  Ｂ  ティッシュ取出し口
【図１】
2020093832.tif 000003
【図２】
2020093832.tif 000004
【図３】
2020093832.tif 000005
【図４】
2020093832.tif 000006
【図５】
2020093832.tif 000007
【図６】
2020093832.tif 000008